(57)【要約】      （修正有）【課題】遊技機の設置作業の困難化を抑制しつつ、遊技機設置スペースを効率的に利用することが可能な遊技機を提供する。【解決手段】枠部材１０と、遊技板３０の後方に設けられ、前記枠部材１０の内側に位置する本体部４０と、前記遊技板１０の後方に設けられる遊技部品５０と、を備え、前記本体部４０に対する前記遊技部品５０の相対位置を変化させることで、前後方向に直交する面方向において前記本体部４０と前記遊技部品５０が占める範囲の大きさを変化させることが可能である遊技機とする。【選択図】図６
2017006231.tif 000002
【特許請求の範囲】
【請求項１】
枠部材と、
前記枠部材に取り付けられる遊技板の後方に設けられ、前記枠部材の内側に位置する本体部と、
前記遊技板の後方に設けられる遊技部品と、
を備え、
前記本体部に対する前記遊技部品の相対位置を変化させることで、前後方向に直交する面方向において前記本体部と前記遊技部品が占める範囲の大きさを変化させることが可能であることを特徴とする遊技機。
【請求項２】
前後方向に直交する面方向において前記本体部と前記遊技部品が占める範囲の大きさが所定の大きさとなる第一態様と、
前後方向に直交する面方向において前記本体部と前記遊技部品が占める範囲の大きさが前記所定の大きさよりも大きい第二態様と、
が切替自在であることを特徴とする請求項１に記載の遊技機。
【請求項３】
前後方向に直交する面方向において前記本体部と前記遊技部品が占める範囲の大きさを最も小さい状態としたときにおける当該範囲の大きさは、前記枠部材の内側の領域の大きさよりも小さいことを特徴とする請求項１または請求項２に記載の遊技機。
【請求項４】
前後方向に直交する面方向において前記本体部と前記遊技部品が占める範囲の大きさが最も小さい状態は、前後方向において前記遊技部品の全体が前記本体部に重なる状態であることを特徴とする請求項１から請求項３のいずれか一項に記載の遊技機。
【請求項５】
前記第二態様にあるときにおける、前記本体部の後端と前記遊技部品の後端の前後方向における距離は、前記第一態様にあるときにおける、前記本体部の後端と前記遊技部品の後端の前後方向における距離よりも小さいことを特徴とする請求項２から請求項４のいずれか一項に記載の遊技機。
【請求項６】
前記遊技部品と、前記枠部材に設けられた第一部品とを繋ぐ第一接続部材を備え、
前記第一態様にあるときには、前記遊技部品における前記第一接続部材が接続される第一接続部が覆われた状態となり、
前記第二態様にあるときには、前記第一接続部が露出した状態となる
ことを特徴とする請求項２から請求項５のいずれか一項に記載の遊技機。
【請求項７】
前記遊技部品は、前記遊技板または前記本体部に対して回動自在に支持されていることを特徴とする請求項１から請求項６のいずれか一項に記載の遊技機。
【請求項８】
前記遊技部品とそれとは別の部品である第二部品とを繋ぐ第二接続部材を備え、
前記遊技部品における前記遊技板または前記本体部に対する回動中心側に、前記第二接続部材が接続される第二接続部が設けられていることを特徴とする請求項７に記載の遊技機。
【発明の詳細な説明】
【技術分野】
【０００１】
本発明は、遊技機に関する。
【背景技術】
【０００２】
下記特許文献１等に記載されるように、遊技店に設置される遊技機の後方には、遊技媒体（ぱちんこ遊技機の場合は遊技球、スロットマシンの場合はメダル）を各遊技機に供給したり各遊技機から回収したりする遊技媒体供給・回収用の設備や、遊技料金を回収する料金用の設備等といった設備（以下、遊技店において、遊技機の後方に設けられる各種設備を総称して島設備と称する）が設けられる。
【先行技術文献】
【特許文献】
【０００３】
【特許文献１】特開２０１０−１７２４７２号公報
【発明の概要】
【発明が解決しようとする課題】
【０００４】
遊技機は、上記のような島設備に干渉しないよう設計される必要がある。例えば、遊技機の後側に配置されるある遊技部品を、上下方向や左右方向のスペース（前後方向に直交する方向のスペース）を利用して配置すると、その分島設備側への突出量を抑えることはできる。しかし、このように遊技部品を配置すると、上下方向や左右方向に突出した遊技部品が、枠部材（遊技店側の設備に固定される遊技機の土台となる部材）に干渉してしまい、遊技部品を含むユニットを枠部材の内側に挿入する作業が困難になってしまうおそれがある。
【０００５】
本発明が解決しようとする課題は、遊技機の設置作業の困難化を抑制しつつ、遊技機設置スペースを効率的に利用することが可能な遊技機を提供することにある。
【課題を解決するための手段】
【０００６】
上記課題を解決するためになされた本発明にかかる遊技機は、枠部材と、前記枠部材に取り付けられる遊技板の後方に設けられ、前記枠部材の内側に位置する本体部と、前記遊技板の後方に設けられる遊技部品と、を備え、前記本体部に対する前記遊技部品の相対位置を変化させることで、前後方向に直交する面方向において前記本体部と前記遊技部品が占める範囲の大きさを変化させることが可能であることを特徴とする。
【０００７】
本発明にかかる遊技機は、本体部と遊技部品が占める範囲の大きさを変化させることができるため、当該大きさを小さくすることで枠部材の内側に本体部と遊技部品を挿入する作業の容易化を図ることが可能である。また、枠部材の内側に本体部と遊技部品を挿入させた後、本体部に対し遊技部品を移動させて島設備に干渉しないようにすることで、遊技機設置スペースを効率的に利用することが可能である。
【０００８】
前後方向に直交する面方向において前記本体部と前記遊技部品が占める範囲の大きさが所定の大きさとなる第一態様と、前後方向に直交する面方向において前記本体部と前記遊技部品が占める範囲の大きさが前記所定の大きさよりも大きい第二態様と、が切替自在であるとよい。
【０００９】
このように、枠部材の内側に本体部と遊技部品を挿入する作業の容易化を図るための態様として第一態様が設定され、島設備との干渉を避けるための態様として第二態様が設定された構造とすることも可能である。
【００１０】
前後方向に直交する面方向において前記本体部と前記遊技部品が占める範囲の大きさを最も小さい状態としたときにおける当該範囲の大きさは、前記枠部材の内側の領域の大きさよりも小さいとよい。
【００１１】
このような構成とすれば、前後方向に直交する面方向において占める範囲の大きさが最も小さい状態にある本体部と遊技部品を真っすぐ移動させることで、枠部材の内側に本体部と遊技部品を挿入することが可能になる。
【００１２】
前後方向に直交する面方向において前記本体部と前記遊技部品が占める範囲の大きさが最も小さい状態は、前後方向において前記遊技部品の全体が前記本体部に重なる状態であるとよい。
【００１３】
このような構成とすれば、枠部材の内側に本体部と遊技部品を挿入する際に、遊技部品が挿入を妨げる要素として関与しないものとすることが可能である。
【００１４】
前記第二態様にあるときにおける、前記本体部の後端と前記遊技部品の後端の前後方向における距離は、前記第一態様にあるときにおける、前記本体部の後端と前記遊技部品の後端の前後方向における距離よりも小さいとよい。
【００１５】
このように、第二態様にあるときにおける本体部に対する遊技部品の後方への突出量が、第一態様にあるときにおけるものよりも小さくなるよう構成されていれば、遊技機の後方に設けられる島設備との干渉防止機能を高めることが可能である。
【００１６】
前記遊技部品と、前記枠部材に設けられた第一部品とを繋ぐ第一接続部材を備え、  前記第一態様にあるときには、前記遊技部品における前記第一接続部材が接続される第一接続部が覆われた状態となり、前記第二態様にあるときには、前記第一接続部が露出した状態となるとよい。
【００１７】
このように構成すれば、第一態様にある本体部と遊技部品を枠部材の内側に挿入した時点においては、第一接続部が覆われており当該第一接続部に第一接続部材を接続することができない状態にあるから、第一接続部を露出させる作業、すなわち本体部に対して遊技部品を変位させて第二態様とする作業を忘れてしまうのを防止することが可能である。
【００１８】
前記遊技部品は、前記遊技板または前記本体部に対して回動自在に支持されているとよい。
【００１９】
このように構成すれば、遊技部品を遊技板または本体部に対して回動させるだけで、前後方向に直交する面方向において本体部と遊技部品が占める範囲の大きさを変化させることができるから、遊技機の設置作業の容易化を図ることが可能である。
【００２０】
前記遊技部品とそれとは別の部品である第二部品とを繋ぐ第二接続部材を備え、前記遊技部品における前記遊技板または前記本体部に対する回動中心側に、前記第二接続部材が接続される第二接続部が設けられているとよい。
【００２１】
このように、第二接続部が回動中心側に設けられていれば、遊技部品を回動させたことに伴う第二接続部材の変位を小さくすることが可能である。第二接続部材が第二部品および遊技部品に接続された状態のまま、遊技部品を回動させることができる構造とすることが可能である。
【発明の効果】
【００２２】
本発明にかかる遊技機によれば、遊技機の設置作業の困難化を抑制しつつ、遊技機設置スペースを効率的に利用することが可能となる。
【図面の簡単な説明】
【００２３】
【図１】本実施形態にかかる遊技機を模式的に示した正面図である。
【図２】本実施形態にかかる遊技機を模式的に示した側面図（一部（枠部材のみ）断面図）である。
【図３】本実施形態にかかる遊技機を模式的に示した背面図である。
【図４】前面枠を開放させて、遊技板ユニットを枠部材の内側に挿入する前の状態を模式的に示した図である。
【図５】遊技板が枠部材の仕切部に接触する位置まで遊技板ユニットを挿入した状態を模式的に示した図である。
【図６】（ａ）は本体部および遊技部品が第一態様にあるときにおける遊技機の側面図であり、（ｂ）は本体部および遊技部品が第二態様にあるときにおける遊技機の側面図である。
【図７】（ａ）は本体部および遊技部品が第一態様にあるときにおける遊技機の背面図であり、（ｂ）は本体部および遊技部品が第二態様にあるときにおける遊技機の背面図である。
【図８】（ａ）は第一態様にある本体部および遊技部品が基準面方向において占める範囲（点線）と最小領域（実線）の大小関係を示した図であり、（ｂ）は第一態様にある本体部および遊技部品が基準面方向において占める範囲（点線）と最小領域（実線）の大小関係を示した図である。
【図９】第一変形例にかかる遊技機を模式的に示した側面図（一部（枠部材のみ）断面図）であって、（ａ）は本体部および遊技部品が第一態様にあるときにおける遊技機の側面図であり、（ｂ）は本体部および遊技部品が第二態様にあるときにおける遊技機の側面図である。
【図１０】第一変形例にかかる遊技機を模式的に示した背面図であって、（ａ）は本体部および遊技部品が第一態様にあるときにおける遊技機の背面図であり、（ｂ）は本体部および遊技部品が第二態様にあるときにおける遊技機の背面図である。
【図１１】第二変形例にかかる遊技機を模式的に示した側面図（一部（枠部材のみ）断面図）であって、（ａ）は本体部および遊技部品が第一態様にあるときにおける遊技機の側面図であり、（ｂ）は本体部および遊技部品が第二態様にあるときにおける遊技機の側面図である。
【図１２】第二変形例にかかる遊技機を模式的に示した背面図であって、（ａ）は本体部および遊技部品が第一態様にあるときにおける遊技機の背面図であり、（ｂ）は本体部および遊技部品が第二態様にあるときにおける遊技機の背面図である。
【発明を実施するための形態】
【００２４】
以下、本発明にかかる遊技機１（ぱちんこ遊技機）の一実施形態について図面を参照して詳細に説明する。まず、図１を参照して遊技機１の全体構成について簡単に説明する。
【００２５】
遊技機１は遊技板３０を備える。遊技板３０は、ほぼ正方形の合板により成形されており、発射装置６２（発射ハンドル）の操作によって発射された遊技球を遊技領域３０２に案内する通路を構成するガイドレール３０３が略円弧形状となるように設けられている。
【００２６】
遊技領域３０２には、始動入賞口３０４、大入賞口３０６、アウト口３０７などが設けられている。表示装置９１の表示領域９１１は、遊技板３０に形成された開口３０１を通じて視認可能となる領域である。
【００２７】
また、遊技領域３０２には、流下する遊技球が衝突することにより遊技球の流下態様に変化を与える障害物としての遊技釘が複数設けられている。遊技領域３０２を流下する遊技球は、遊技釘に衝突したときの条件に応じて様々な態様に変化する。
【００２８】
このような遊技機１では、発射装置６２を操作することにより遊技領域３０２に向けて遊技球を発射する。遊技領域３０２を流下する遊技球が、始動入賞口３０４や大入賞口３０６等の入賞口に入賞すると、所定の数の賞球が払出装置により払い出される。
【００２９】
なお、遊技球を貯留する下皿や上皿、大当たりの抽選方法等、本発明に関係のない遊技機１の構成要素や制御態様については説明を省略する。これらについては公知の遊技機と同様の構造のものが適用できる。
【００３０】
図２および図３等に示すように、本実施形態にかかる遊技機１は、枠部材１０および遊技板ユニット２０を備える。遊技板ユニット２０は、遊技板３０およびその後方に設けられる本体部４０および遊技部品５０を有する。以下、各構成について詳細に説明する。なお、以下の説明における前後方向とは遊技板３０の板面に直交する方向（遊技者側を前とする）をいい、上下方向とは重力方向をいい、左右方向（幅方向）とは前後方向および上下方向に直交する方向をいうものとする。また、後述するように、本実施形態にかかる遊技機１は、遊技部品５０が本体部４０に対する相対位置を変化させることが可能なものであるが、特に明示した場合を除き、各方向や位置は本体部４０および遊技部品５０が第二態様（詳細は後述）にあるときを基準としていうものとする。
【００３１】
枠部材１０は、遊技機１の土台となる部材であって、遊技店の遊技機設置スペースに直接または間接的に固定されるものである。異なる機種において、同じ構造の枠部材１０を用いることもある。かかる枠部材１０は、全体として略方形状を呈し、その内側に上記遊技板ユニット２０の少なくとも一部が位置する。なお、通常、一または複数の部材が組み合わされて枠部材１０が構築されるが、その具体的な構造はどのようなものであってもよいため、説明を省略する（各図においては、枠部材１０を簡略化して描いている）。
【００３２】
枠部材１０の幅方向一方側（本実施形態では左側）には、蝶番等を介して前面枠６０が回動自在に接続されている。前面枠６０には、遊技領域３０２の前方に位置し、当該遊技領域３０２を視認可能とする透明板６１、上述した発射装置６２等、公知の部材や装置が設けられている。
【００３３】
本実施形態における枠部材１０は、方形状の基部１１およびこの基部１１の内面から内側に向かって突出した部分である仕切部１２を有する。この仕切部１２が形成された箇所よりも手前側に遊技板３０が位置することとなる（図２、図４、図５等参照）。枠部材１０の内側における、前後方向に直交する面方向において最も小さい領域（以下、最小領域１０ａと称することもある。当該領域が本発明における枠部材１０の内側の領域に相当する）は、仕切部１２が形成された箇所となる。つまり、枠部材１０の内側に、ある物を前後方向に沿って（傾けずに）通そうとする場合、当該ある物が前後方向に直交する面（以下、基準面と称することもある）方向において占める領域は、最小領域１０ａよりも小さい（前後方向に沿って見たとき、当該ある物の全体が最小領域１０ａの内側に入り込む）必要がある。
【００３４】
本体部４０は、遊技板３０の後方に固定されるものである。当該本体部４０を構成する部材や装置はどのようなものであってもよい。駆動役物およびその駆動機構、各種電飾用装置、各種制御基板、各部材や装置を収容するケース等が本体部４０を構成する（ただし、詳細を後述する遊技部品５０は、本体部４０を構成するものではない）。本体部４０は、全ての装置や部材が一体化されたものであってもよいし、一部の部材や装置が他の部材や装置と分離して設けられたものであってもよい。ただし、一部の部材や装置が他の部材や装置と分離した構造であっても、分離した部材や装置同士は遊技板３０を介して間接的に一体化されたものであるともいえる。基準面方向において本体部４０が占める範囲の大きさは、枠部材１０の最小領域１０ａよりも小さい（図３参照）。なお、ここでいう「基準面方向において本体部４０が占める範囲」とは、前後方向に沿って本体部４０を見たときにおける、当該本体部４０の外縁に沿う範囲のことをいう。つまり、本体部４０を構成する部材や装置のうちの一部が基準面方向において分離している場合であっても、当該分離したもの同士の間の空間（隙間）等も、当該「基準面方向において本体部４０が占める範囲」に含まれるものとする。
【００３５】
遊技部品５０は、上記本体部４０と同様、遊技板３０の後方に設置されるものである。当該遊技部品５０を構成する部材や装置はどのようなものであってもよい。本実施形態における遊技部品５０は、主制御基板５１およびそれを収容する基板ケース５２を含むものである。主制御基板５１は、大当たり抽選を行う抽選回路やその抽選結果に基づく停止図柄を選定する制御回路等が構築されたものである。本実施形態における遊技部品５０は、本体部４０に回動自在に支持されている。具体的には、基板ケース５２が本体部４０に対して回動自在に接続されている。
【００３６】
本体部４０には、遊技部品５０（基板ケース５２）を支持する支持部材４１が設けられている。かかる支持部材４１の先端側に基板ケース５２が回動自在に支持されている。支持部材４１に対して基板ケース５２が回動自在に支持される箇所は、基板ケース５２の一方側（本実施形態では上側）に位置する。基板ケース５２における当該側には、主制御基板５１に実装された一または複数の基板コネクタを露出させる開口が形成されている。
【００３７】
主制御基板５１は、枠部材１０に設けられる部品（以下、第一部品１３と称する）と電気的に接続される。第一部品１３としては、枠部材１０に固定された、スピーカ６３から出力される音声を制御する音声制御基板等が例示できる。したがって、両者を電気的に接続するための電線の一端に固定されたコネクタ（かかるコネクタ付き電線が本発明における第一接続部材７１に相当する。以下、第一接続部材７１と称する）が、主制御基板５１に設けられた基板コネクタ（対応する基板コネクタが本発明における第一接続部に相当する。以下、第一接続部５１１と称する）に嵌合される。本実施形態における第一接続部５１１は、詳細を後述する第二態様にあるときに、後方から第一接続部材７１が接続可能となるような位置に設けられる。
【００３８】
また、主制御基板５１は、本体部４０を構成する部品（以下、第二部品４２と称する）と電気的に接続される。第二部品４２としては、本体部４０を構成するサブ制御基板（演出制御用の基板）等が例示できる。したがって、両者を電気的に接続するための電線の一端に固定されたコネクタ（かかるコネクタ付き電線が本発明における第二接続部材７２に相当する。以下、第二接続部材７２と称する）が、主制御基板５１に設けられた基板コネクタ（対応する基板コネクタが本発明における第二接続部に相当する。以下、第二接続部５１２と称する）に嵌合される。また、第二接続部５１２は、遊技部品５０の回動中心５２１側（本実施形態では上側）に設けられる。
【００３９】
遊技部品５０は、本体部４０に対して回動することで、主制御基板５１が基準面に沿う状態であって、大部分が回動中心５２１よりも上側に位置した状態（当該状態を第一態様と称する）（図６（ａ）および図７（ａ）参照）と、主制御基板５１が基準面に沿う状態であって、大部分が回動中心５２１よりも下側に位置した状態（当該状態を第二態様と称する）（図６（ｂ）および図７（ｂ）参照）との間を変位することができる。本実施形態では、第一態様と第二態様を維持するためのロック機構が設けられている。当該ロック機構の構造はどのようなものであってもよいが、その一例として以下のようなものが挙げられる。
【００４０】
遊技部品５０（基板ケース５２）には、その側面から突出した被係合部５２２が設けられている。被係合部５２２は貫通孔が形成された板状の部分である。本体部４０には、後方に向かって突出する二つの係合突起が設けられている。一方の係合突起（上係合突起４２１）は遊技部品５０の回動中心５２１よりも上側に位置し、他方の係合突起（下係合突起４２２）は遊技部品５０の回動中心５２１よりも下側に位置する。回動中心５２１から上係合突起４２１までの距離と、回動中心５２１から下係合突起４２２までの距離は略同じである。両係合突起は、少なくともその先端部分が先細の形状（「矢尻」の形状）を呈する。その先細の部分は弾性変形可能な材料で形成されている。
【００４１】
遊技部品５０を上側に回動させる、すなわち第一態様となる状態まで変位させようとすると、上係合突起４２１の先端部分が被係合部５２２に形成された貫通孔に入り込んでいく。貫通孔の周縁部分に押されることによって上係合突起４２１の先端部分が弾性変形し、最終的には被係合部５２２に形成された貫通孔の周縁部分に引っ掛かった状態となる。これにより、遊技部品５０が本体部４０（上係合突起４２１）に対してロックされ、第一態様が維持される状態となる。一方。遊技部品５０を下側に回動させる、すなわち第二態様となる状態まで変位させようとすると、下係合突起４２２の先端部分が被係合部５２２に形成された貫通孔に入り込んでいくため、最終的には下係合突起４２２の先端部分が被係合部５２２に形成された貫通孔の周縁部分に引っ掛かった状態となる。これにより、遊技部品５０が本体部４０（下係合突起４２２）に対してロックされ、第二態様が維持される状態となる。
【００４２】
第一態様にあるとき、遊技部品５０は、前後方向においてその全体が本体部４０と重なる状態にある（図６（ａ）および７（ａ）参照）。換言すれば、前後方向から見て本体部４０の外縁よりも外側に遊技部品５０の一部が存在する位置関係ではなく、基準面方向において本体部４０が占める範囲の内側に、基準面方向において遊技部品５０が占める範囲が存在することとなる。したがって、本体部４０と遊技部品５０をひとまとまりのユニットとして考えると、当該ユニットが基準面方向において占める範囲４０ａ（図８（ａ）参照）の大きさは、本体部４０が基準面方向において占める範囲の大きさと同じになる。この第一態様にある本体部４０および遊技部品５０（ユニット）が基準面方向において占める範囲４０ａの大きさは、上記枠部材１０の最小領域１０ａよりも小さい（図６（ａ）〜図８（ａ）参照）。なお、ここでいう大きさの大小関係とは、面積の大小関係をいうものではない。大きさが「小さい」とは、前後方向から見て（基準面方向において）、枠部材１０の最小領域１０ａの内側に、本体部４０および遊技部品５０が占める部分の全体が入り込む関係にあることをいい、これとは逆に大きさが「大きい」とは、前後方向から見て（基準面方向において）、枠部材１０の最小領域１０ａの内側に、本体部４０および遊技部品５０が占める部分の全体が入り込まず、一部が最小領域１０ａの外側に位置する関係にあることをいう（以下同じ）。
【００４３】
一方、第二態様にあるとき、遊技部品５０は、前後方向においてその一部が本体部４０と重なり、他の一部が本体部４０に重ならない状態にある（図６（ｂ）および図７（ｂ）参照）。換言すれば、基準面方向において本体部４０が占める範囲の内側に遊技部品５０の一部が存在し、当該範囲の外側に他の一部が存在する（遊技部品５０の一部が本体部４０の外縁から外側に突出した（はみ出た））状態にある。したがって、本体部４０と遊技部品５０をひとまとまりのユニットとして考えると、当該ユニットが基準面方向において占める範囲４０ａ（図８（ｂ）参照）の大きさは、本体部４０が基準面方向において占める範囲の大きさと、遊技部品５０の他の一部が基準面方向において占める範囲の大きさとを足し合わせた大きさとなる。つまり、当該基準面方向において占める範囲４０ａの大きさは、第一態様にあるときよりも第二態様にあるときの方が大きくなる。なお、本実施形態では、第二態様にある本体部４０および遊技部品５０（ユニット）が基準面方向において占める範囲４０ａの大きさは、上記枠部材１０の最小領域１０ａよりも大きい（図６（ｂ）〜図８（ｂ）参照）。具体的には、前後方向から見て（基準面方向において）、枠部材１０の最小領域１０ａの外側に、本体部４０および遊技部品５０が占める部分の一部が位置するような関係にある。つまり、基準面方向において遊技部品５０が本体部４０から突出した結果として、本体部４０および遊技部品５０が占める範囲４０ａが枠部材１０の最小領域１０ａよりも大きくなる。
【００４４】
また、第二態様にあるときにおける本体部４０の後端と遊技部品５０の後端の前後方向における距離は、第一態様にあるときにおける本体部４０の後端と遊技部品５０の後端の前後方向における距離よりも小さい（図６参照）。つまり、本体部４０と遊技部品５０をひとまとまりのユニットとして考えたとき、当該ユニットの後方への突出量は第一態様にあるときよりも第二態様にあるときのほうが小さくなる。換言すれば、前後方向における遊技機１後方のスペース（島設備が配置されるスペース）は、第一態様にあるときよりも第二態様にあるときの方が大きくなる。
【００４５】
このように構成される本実施形態にかかる遊技機１の作用について、一部上記説明と重複するが以下詳細に説明する。
【００４６】
遊技店において遊技機を設置する場合、まず枠部材１０が遊技店における所定位置に固定される。なお、新たな遊技機を設置するにあたり、遊技板ユニット２０等だけでなく、枠部材１０を含めた遊技機全体を交換する場合もあれば、遊技板ユニット２０等を交換するものの枠部材１０は交換しない場合（枠部材１０が共通である遊技機に変更する場合）もある。いずれにせよ、まず枠部材１０が遊技店における所定位置に固定された状態にある。なお、枠部材１０には、上述した前面枠６０が取り付けられることとなるが、当該前面枠６０の取付構造や取り付ける時点はどのようなものであってもよい（遊技板ユニット２０を枠部材１０に取り付ける前に前面枠６０が枠部材１０に取り付けられてもよいし、遊技板ユニット２０を枠部材１０に取り付けた後に前面枠６０が枠部材１０に取り付けられてもよい）。各図は、遊技板ユニット２０を枠部材１０に取り付ける前に前面枠６０が枠部材１０に取り付けられているものを示している。
【００４７】
固定された枠部材１０に対し、遊技板ユニット２０を取り付ける。具体的には、枠部材１０の仕切部１２の内側、すなわち最小領域１０ａに本体部４０および遊技部品５０を通す。この際、本体部４０および遊技部品５０は第一態様とする。これにより、基準面方向において本体部４０および遊技部品５０が占める範囲４０ａは、最小領域１０ａの大きさよりも小さくなる。そのため、前後方向から見て、最小領域１０ａの内側に本体部４０および遊技部品５０の全体（実質的には本体部４０の全体）が位置するようにして、本体部４０および遊技部品５０を傾けることなく後方に真っすぐ変位（スライド）させることにより、当該本体部４０および遊技部品５０が最小領域１０ａを通ることとなる（図４および図５参照）。そのまま変位させていくと、基準面方向における大きさが本体部４０よりも大きい遊技板３０が、枠部材１０の仕切部１２に当接する（図５参照）。つまり、遊技板３０が仕切部１２に引っ掛かる位置（取付位置）まで遊技板ユニット２０を後方に変位させる。
【００４８】
遊技部品５０が枠部材１０の最小領域１０ａを通った後、遊技部品５０を本体部４０に対して回動させ、第二態様とする（図６（ａ）および図７（ａ）に示す状態から、図６（ｂ）および図７（ｂ）に示す状態に変化させる）。つまり、被係合部５２２が上係合突起４２１に係合していた遊技部品５０を、下方に向かって回動させ、被係合部５２２を下係合突起４２２に係合させる。第二部品４２との電気的接続を図るための第二接続部５１２材が接続される第二接続部５１２は、遊技部品５０（主制御基板５１）の回動中心５２１側に設けられているから、遊技部品５０を回動させたときにおける第二接続部５１２の変位量が小さい。したがって、ある程度の長さを有する第二接続部材７２（電線）を用いた構造とすれば、遊技部品５０を回動させるために第二接続部材７２を第二接続部５１２から取り外す必要がない。また、遊技部品５０を回動させる際に第二接続部材７２が動くことによって各種部材にかかる負荷が抑制される。
【００４９】
このように遊技部品５０を回動させて第二態様とすることにより、遊技部品５０と島設備の干渉を防止する。つまり、本体部４０および遊技部品５０を第一態様とするのは、本体部４０および遊技部品５０を枠部材１０の最小領域１０ａを通しやすくするためであるから、遊技部品５０が枠部材１０の最小領域１０ａを通った後、第二態様とすることにより前後方向におけるスペースを大きくする。例えば、図６に示す線（面）Ｘが島設備との干渉を避けるための基準線（面）であるとすれば（島設備の最も前端が線Ｘであるとすれば）、第一態様にあるとき一部が線Ｘよりも後方に位置していた遊技部品５０は、第二態様とすることによりその全体が当該線Ｘよりも前に位置した状態となる。これにより、島設備が遊技部品５０に接触することが防止される。
【００５０】
本体部４０と遊技部品５０を第二態様とした遊技板ユニット２０を取付位置まで挿入した状態で、遊技板ユニット２０を枠部材１０に固定する。枠部材１０に対する遊技板ユニット２０の固定構造はどのようなものであってもよいため説明を省略する。
【００５１】
また、遊技部品５０を回動させて第二態様とすると、第一部品１３と電気的接続を図るための第一接続部材７１が接続される第一接続部５１１が露出する。具体的には、第一態様にあるとき前方（本体部４０側）を向き遊技部品５０自体に覆われた状態にあった第一接続部５１１が、第二態様とすることによって後方を向いて露出した状態となる。したがって、遊技板ユニット２０を枠部材１０の内側に挿入した後、第一態様のままであれば第一接続部５１１は遊技部品５０自体に覆われたままの状態にあって第一接続部材７１を接続することができない、または接続が困難であるため、作業者は遊技部品５０を回動させて第二態様としなければならないことに気付く。つまり、第二態様とする作業を失念していたとしても、枠部材１０に設けられた第一部品１３と遊技部品５０とを接続する作業を行おうとする際に、遊技部品５０を回動させて第二態様としなければならないことに気付くことになる。
【００５２】
なお、遊技機設置前の状態において、遊技機後方に島設備が既に正規の位置に配置されている場合であって、第一態様のまま本体部４０および遊技部品５０を後方にスライドさせていくと遊技部品５０が島設備に接触してしまうおそれがある場合には、本体部４０および遊技部品５０が枠部材１０の最小領域１０ａを通り、遊技部品５０が回動可能な状態となったときに第二態様に変化させるとよい。つまり、遊技板ユニット２０を後方に向かって挿入する途中の段階で遊技部品５０を回動させて第二態様とする作業を行うとよい。そして、第二態様とした後、遊技板３０が仕切部１２に引っ掛かる位置（取付位置）まで遊技板ユニット２０全体をさらに後方に変位させるとよい。
【００５３】
このように、本実施形態にかかる遊技機１では、第一態様とすることで本体部４０と遊技部品５０が占める範囲４０ａの大きさを小さくすることができるため、枠部材１０の内側に本体部４０と遊技部品５０を挿入する作業の容易化を図ることが可能である。また、枠部材１０の内側に本体部４０と遊技部品５０を挿入させた後、本体部４０に対し遊技部品５０を移動させて第二態様とすることで、島設備と遊技部品５０の干渉が防止されるため、遊技機設置スペースを効率的に利用することが可能である。
【００５４】
以下、上記実施形態にかかる遊技機１の変形例について、上記実施形態にかかる遊技機１と異なる点を中心に説明する。なお、以下で説明する変形例にかかる技術思想のそれぞれを単独で適用した遊技機としてもよいし、組み合わせて適用した遊技機としてもよい。
【００５５】
・第一変形例
上記実施形態にかかる遊技機１は、遊技部品５０が本体部４０に対して回動自在に設けられていることを説明したが、本体部４０に対する遊技部品５０の相対位置を変化させることができるものであれば、当該相対位置を変化させるための遊技部品５０の移動態様はどのようなものであってもよい。
【００５６】
例えば、図９および図１０に示すように、リンク機構８１を用いて遊技部品５０を移動させる構造とすることが考えられる。リンク機構８１は、一端側が本体部４０に対して回動自在に接続され、他端側が遊技部品５０に対して回動自在に接続されたリンク部材を有する。リンク機構８１を構成するリンク部材の数は、一つであってもよいし、複数であってもよいが、図示されるように複数のリンク部材（第一リンク部材８１１および第二リンク部材８１２）を用いた構造とすれば、遊技部品５０の姿勢が変化しないようにすることができる。
【００５７】
このようなリンク部材を用いることで、前後方向における本体部４０に対して遊技部品５０が重なる範囲の大きさを切り替えることができる。つまり、本体部４０と遊技部品５０の相対的な位置関係が第一態様にある状態と、第二態様にある状態とを切り替えることができる。また、リンク機構８１の特性上、本体部４０に対して重なる範囲の大きさを変化させるように遊技部品５０を移動させると、遊技部品５０の前後方向位置も変化することになる。そのため、上記実施形態と同様に、第二態様にあるときにおける本体部４０の後端と遊技部品５０の後端の前後方向における距離が、第一態様にあるときにおける本体部４０の後端と遊技部品５０の後端の前後方向における距離よりも小さくなるように設定することもできる。具体的には、図示される線（面）Ｘが島設備との干渉を避けるための基準線（面）であるとすれば（島設備の最も前端が線Ｘであるとすれば）、第一態様にあるとき一部が線Ｘよりも後方に位置していた遊技部品５０は、第二態様とすることによりその全体が当該線Ｘよりも前に位置した状態となる。なお、第一態様または第二態様を維持するための、本体部４０に対する遊技部品５０のロック機構はどのようなものであってもよいため、説明を省略する。
【００５８】
また、本例のようにリンク機構８１を用いた構造とする場合であっても、本体部４０や遊技部品５０の形状等を調整することにより、本体部４０と遊技部品５０の位置関係が第一態様にあるときには遊技部品５０における第一接続部材７１が接続される第一接続部５１１が本体部４０を構成するある部分に覆われた状態となり、第二態様にあるときには遊技部品５０における第一接続部材７１が接続される第一接続部５１１が露出するように構成することができる。これにより、上記実施形態と同様に、枠部材１０に設けられた第一部品１３と遊技部品５０とを接続する作業を行おうとする際に、遊技部品５０を変位させて第二態様としなければならないことに気付くことになる。
【００５９】
・第二変形例
スライド機構８２を用いて遊技部品５０を移動させる構造としてもよい。例えば、図１１および図１２に示すように、本体部４０には固定側のレール（以下、固定レール８２１と称する）を、遊技部品５０には固定レール８２１に対してスライド自在に係合する移動側のレール（以下、移動レール８２２と称する）を設けた構成とする。本体部４０に設けられる固定レール８２１は、少なくとも本体部４０の内側から外縁付近まで延びる部分を有する。
【００６０】
このようなスライド機構８２によっても、前後方向における本体部４０に対して遊技部品５０が重なる範囲の大きさを切り替えることができる。つまり、本体部４０と遊技部品５０の相対的な位置関係が第一態様にある状態と、第二態様にある状態とを切り替えることができる。なお、第一態様または第二態様を維持するための、本体部４０に対する遊技部品５０のロック機構はどのようなものであってもよいため、説明を省略する。固定レール８２１や移動レール８２２の長さは、求められる遊技部品５０のスライド量に応じて適宜設定される。
【００６１】
また、本例のようにスライド機構８２を用いた構造とする場合であっても、本体部４０や遊技部品５０の形状等を調整することにより、本体部４０と遊技部品５０の位置関係が第一態様にあるときには遊技部品５０における第一接続部材７１が接続される第一接続部５１１が本体部４０を構成するある部分に覆われた状態となり、第二態様にあるときには遊技部品５０における第一接続部材７１が接続される第一接続部５１１が露出するように構成することができる。これにより、上記実施形態と同様に、枠部材１０に設けられた第一部品１３と遊技部品５０とを接続する作業を行おうとする際に、遊技部品５０を変位させて第二態様としなければならないことに気付くことになる。
【００６２】
・第三変形例
上記実施形態や、上記第一、第二変形例は、本体部４０と遊技部品５０の相対的な位置関係が第一態様にある状態と、第二態様にある状態とを切り替えることができるものであることを説明したが、本体部４０に対する遊技部品５０の相対位置を無段階調整することができる構造としてもよい。つまり、本体部４０に対する遊技部品５０の相対位置がどのような位置であっても、本体部４０に対して遊技部品５０が動かないようにする（ロックする）ことができる構造としてもよい。
【００６３】
このような構造としても、基準面方向における本体部４０と遊技部品５０が占める範囲４０ａの大きさを小さくすることで、枠部材１０に対する本体部４０と遊技部品５０の挿入作業を容易にすることが可能である。また、挿入後は、島設備の大きさや位置等を考慮した上で、遊技部品５０が島設備に干渉しないように、本体部４０に対する遊技部品５０の相対位置を決定することが可能である。つまり、島設備との干渉を防止するための態様が、上記実施形態や、上記第一、第二変形例で説明した第二態様に限定されないから、島設備の大きさや位置等が異なる（変化した）場合であっても、本体部４０に対する遊技部品５０の位置を変化させることで遊技部品５０と島設備の干渉を防止できる可能性がある、すなわち対応可能な島設備の種類が増加し、汎用性が向上するという利点がある。
【００６４】
また、無段階調整可能とまではいかずとも、本体部４０に対する遊技部品５０の相対的な位置関係が、第一態様や第二態様以外の関係にある場合であっても、本体部４０に対して遊技部品５０が動かないようにする（ロックする）ことができる構造（三段階以上の調整が可能な構造）としてもよい。このようにしても、島設備との干渉を防止するための態様が、上記実施形態や、上記第一、第二変形例で説明した第二態様に限定されないから、様々な形状、大きさ等の島設備に対応可能となり、汎用性が向上するという利点がある。
【００６５】
・第四変形例
上記実施形態では、遊技部品５０は本体部４０（本体部４０を構成する支持部材４１）に支持されているものであることを説明したが、本体部４０に対する相対位置を変化させることができる構造であれば、遊技部品５０が支持される対象は本体部４０に限られない。例えば、遊技部品５０が遊技板３０に支持された構造としてもよい。遊技部品５０の遊技板３０に対する支持構造は、上記実施形態のような回動自在に支持された構造、第一変形例のようなリンク機構８１を用いた構造、第二変形例のようなスライド機構８２を用いた構造等、どのようなものであってもよい。
【００６６】
遊技板３０の後方には本体部４０が固定されているから、遊技板３０に対する遊技部品５０の相対位置を変化させることにより、（遊技板３１を介して間接的に）本体部４０に対する遊技部品５０の相対位置が変化することとなる。つまり、遊技部品５０が支持される対象は、本体部４０またはこの本体部４０とともに移動する部分や部材等（本体部４０に対する相対位置を変化させない部分や部材等）であるとよい。
【００６７】
以上、本発明の実施形態（および変形例）について詳細に説明したが、本発明は上記実施形態に何ら限定されるものではなく、本発明の要旨を逸脱しない範囲で種々の改変が可能である。
【００６８】
上記実施形態にかかる遊技機１はいわゆるぱちんこ遊技機であるが、スロットマシン等の他の遊技機であってもよい。
【００６９】
上記実施形態における遊技部品５０は、主制御基板５１および基板ケース５２を含むものであることを説明したが、遊技部品５０を構成する部材や装置等はどのようなものであってもよい。本体部４０および遊技部品５０は、遊技板３０の後方に設けられる遊技機１を構成するものであればどのようなものであってもよい。つまり、遊技板３０の後方に設けられるもののうち、一部が遊技部品５０として設定された場合、それ以外のものが本体部４０を構成することになる。
【００７０】
上記実施形態における第一接続部材７１や第二接続部材７２は、遊技部品５０と他の部品とを電気的に接続するための部材（コネクタ付き電線）であることを説明したが、このような電気的な接続を図るためのものに限られない。つまり、遊技部品５０と他の部品を繋ぐように設けられる部材であれば、第一接続部材７１や第二接続部材７２はどのようなものであってもよい。
【符号の説明】
【００７１】
１  遊技機
１０  枠部材
１０ａ  最小領域
１３  第一部品
２０  遊技板ユニット
３０  遊技板
４０  本体部
４２  第二部品
５０  遊技部品
４０ａ  本体部および遊技部品が基準面（前後方向に直交する面）方向において占める範囲
５１  主制御基板
５１１  第一接続部
５１２  第二接続部
５２  基板ケース
５２１  回動中心
７１  第一接続部材
７２  第二接続部材
【図１】
2017006231.tif 000003
【図２】
2017006231.tif 000004
【図３】
2017006231.tif 000005
【図４】
2017006231.tif 000006
【図５】
2017006231.tif 000007
【図６】
2017006231.tif 000008
【図７】
2017006231.tif 000009
【図８】
2017006231.tif 000010
【図９】
2017006231.tif 000011
【図１０】
2017006231.tif 000012
【図１１】
2017006231.tif 000013
【図１２】
2017006231.tif 000014
【手続補正書】
【提出日】平成28年10月4日(2016.10.4)
【手続補正１】
【補正対象書類名】特許請求の範囲
【補正対象項目名】全文
【補正方法】変更
【補正の内容】
【特許請求の範囲】
【請求項１】
枠部材と、
前記枠部材に取り付けられる遊技板の後方に設けられ、前記枠部材の内側に位置する本体部と、
前記遊技板の後方に設けられる遊技部品と、
前記遊技部品と、前記枠部材に設けられた所定の部品とを繋ぐ接続部材と、
を備え、
前後方向に直交する面方向において前記本体部と前記遊技部品が占める範囲の大きさが所定の大きさとなる第一態様と、
前後方向に直交する面方向において前記本体部と前記遊技部品が占める範囲の大きさが前記所定の大きさよりも大きい第二態様と、
が切替自在となるように、前記本体部に対する前記遊技部品の相対位置を変化させることが可能であり、
前記第一態様にあるときには、前記遊技部品における前記接続部材が接続される接続部が、前記本体部側に位置して当該本体部と前記遊技部品自体に挟まれて覆われた状態となり、
前記第二態様にあるときには、前記接続部が、前記本体部側の反対側に位置して露出した状態となる
ことを特徴とする遊技機。
【手続補正２】
【補正対象書類名】明細書
【補正対象項目名】０００６
【補正方法】変更
【補正の内容】
【０００６】
上記課題を解決するためになされた本発明にかかる遊技機は、枠部材と、前記枠部材に取り付けられる遊技板の後方に設けられ、前記枠部材の内側に位置する本体部と、前記遊技板の後方に設けられる遊技部品と、前記遊技部品と、前記枠部材に設けられた所定の部品とを繋ぐ接続部材と、を備え、前後方向に直交する面方向において前記本体部と前記遊技部品が占める範囲の大きさが所定の大きさとなる第一態様と、前後方向に直交する面方向において前記本体部と前記遊技部品が占める範囲の大きさが前記所定の大きさよりも大きい第二態様と、が切替自在となるように、前記本体部に対する前記遊技部品の相対位置を変化させることが可能であり、前記第一態様にあるときには、前記遊技部品における前記接続部材が接続される接続部が、前記本体部側に位置して当該本体部と前記遊技部品自体に挟まれて覆われた状態となり、前記第二態様にあるときには、前記接続部が、前記本体部側の反対側に位置して露出した状態となることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
また、第一態様にある本体部と遊技部品を枠部材の内側に挿入した時点においては、第一接続部が覆われており当該第一接続部に第一接続部材を接続することができない状態にあるから、第一接続部を露出させる作業、すなわち本体部に対して遊技部品を変位させて第二態様とする作業を忘れてしまうのを防止することが可能である。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００７０
【補正方法】変更
【補正の内容】
【００７０】
上記実施形態における第一接続部材７１や第二接続部材７２は、遊技部品５０と他の部品とを電気的に接続するための部材（コネクタ付き電線）であることを説明したが、このような電気的な接続を図るためのものに限られない。つまり、遊技部品５０と他の部品を繋ぐように設けられる部材であれば、第一接続部材７１や第二接続部材７２はどのようなものであってもよい。
以下に上記実施形態から得られる具体的手段（遊技機）を列挙する。
手段１にかかる遊技機は、枠部材と、前記枠部材に取り付けられる遊技板の後方に設けられ、前記枠部材の内側に位置する本体部と、前記遊技板の後方に設けられる遊技部品と、を備え、前記本体部に対する前記遊技部品の相対位置を変化させることで、前後方向に直交する面方向において前記本体部と前記遊技部品が占める範囲の大きさを変化させることが可能であることを特徴とする。
手段１にかかる遊技機は、本体部と遊技部品が占める範囲の大きさを変化させることができるため、当該大きさを小さくすることで枠部材の内側に本体部と遊技部品を挿入する作業の容易化を図ることが可能である。また、枠部材の内側に本体部と遊技部品を挿入させた後、本体部に対し遊技部品を移動させて島設備に干渉しないようにすることで、遊技機設置スペースを効率的に利用することが可能である。
手段２にかかる遊技機は、手段１に記載の遊技機において、前後方向に直交する面方向において前記本体部と前記遊技部品が占める範囲の大きさが所定の大きさとなる第一態様と、前後方向に直交する面方向において前記本体部と前記遊技部品が占める範囲の大きさが前記所定の大きさよりも大きい第二態様と、が切替自在であることを特徴とする。
手段２にかかる遊技機のように、枠部材の内側に本体部と遊技部品を挿入する作業の容易化を図るための態様として第一態様が設定され、島設備との干渉を避けるための態様として第二態様が設定された構造とすることも可能である。
手段３にかかる遊技機は、手段１または手段２に記載の遊技機において、前後方向に直交する面方向において前記本体部と前記遊技部品が占める範囲の大きさを最も小さい状態としたときにおける当該範囲の大きさは、前記枠部材の内側の領域の大きさよりも小さいことを特徴とする。
手段３にかかる遊技機のような構成とすれば、前後方向に直交する面方向において占める範囲の大きさが最も小さい状態にある本体部と遊技部品を真っすぐ移動させることで、枠部材の内側に本体部と遊技部品を挿入することが可能になる。
手段４にかかる遊技機は、手段１から手段３のいずれかに記載の遊技機において、前後方向に直交する面方向において前記本体部と前記遊技部品が占める範囲の大きさが最も小さい状態は、前後方向において前記遊技部品の全体が前記本体部に重なる状態であることを特徴とする。
手段４にかかる遊技機のような構成とすれば、枠部材の内側に本体部と遊技部品を挿入する際に、遊技部品が挿入を妨げる要素として関与しないものとすることが可能である。
手段５にかかる遊技機は、手段２から手段４のいずれかに記載の遊技機において、前記第二態様にあるときにおける、前記本体部の後端と前記遊技部品の後端の前後方向における距離は、前記第一態様にあるときにおける、前記本体部の後端と前記遊技部品の後端の前後方向における距離よりも小さいことを特徴とする。
手段５にかかる遊技機のように、第二態様にあるときにおける本体部に対する遊技部品の後方への突出量が、第一態様にあるときにおけるものよりも小さくなるよう構成されていれば、遊技機の後方に設けられる島設備との干渉防止機能を高めることが可能である。
手段６にかかる遊技機は、手段２から手段５のいずれかに記載の遊技機において、前記遊技部品と、前記枠部材に設けられた第一部品とを繋ぐ第一接続部材を備え、  前記第一態様にあるときには、前記遊技部品における前記第一接続部材が接続される第一接続部が覆われた状態となり、前記第二態様にあるときには、前記第一接続部が露出した状態となることを特徴とする。
手段６にかかる遊技機のように構成すれば、第一態様にある本体部と遊技部品を枠部材の内側に挿入した時点においては、第一接続部が覆われており当該第一接続部に第一接続部材を接続することができない状態にあるから、第一接続部を露出させる作業、すなわち本体部に対して遊技部品を変位させて第二態様とする作業を忘れてしまうのを防止することが可能である。
手段７にかかる遊技機は、手段１から手段６のいずれかに記載の遊技機において、前記遊技部品は、前記遊技板または前記本体部に対して回動自在に支持されていることを特徴とする。
手段７にかかる遊技機のように構成すれば、遊技部品を遊技板または本体部に対して回動させるだけで、前後方向に直交する面方向において本体部と遊技部品が占める範囲の大きさを変化させることができるから、遊技機の設置作業の容易化を図ることが可能である。
手段８にかかる遊技機は、手段７に記載の遊技機において、前記遊技部品とそれとは別の部品である第二部品とを繋ぐ第二接続部材を備え、前記遊技部品における前記遊技板または前記本体部に対する回動中心側に、前記第二接続部材が接続される第二接続部が設けられていることを特徴とする。
手段８にかかる遊技機のように、第二接続部が回動中心側に設けられていれば、遊技部品を回動させたことに伴う第二接続部材の変位を小さくすることが可能である。第二接続部材が第二部品および遊技部品に接続された状態のまま、遊技部品を回動させることができる構造とすることが可能である。